(57)【要約】【課題】フリーアクセスフロアの床下を通るケーブルが連結帯断面の角部に引掛かって損傷したり断線したりするのを防止することができる支持台連結ユニットを提供する。【解決手段】フリーアクセスフロア２に用いられるパネル部材８を支持する複数の支持台１２と、支持台１２の下端部２０間を連結して支持台１２間の間隔を保持する連結帯４２とを備えた支持台連結ユニット４０であって、連結帯４２は、当該連結帯４２の長さ方向と直交する断面形状における上部に、中央部から水平方向外側に向かうにしたがって低くなっていくような形状４２ａが形成された。【効果】フリーアクセスフロアの床下を通るケーブルが連結帯断面の角部に引掛かって損傷したり断線したりするのを防止することができる。【選択図】図２
2009019473.tif 000002
【特許請求の範囲】
【請求項１】
フリーアクセスフロアに用いられるパネル部材を支持する複数の支持台と、当該支持台の下端部間を連結して支持台間の間隔を保持する連結帯とを備えた支持台連結ユニットであって、
前記連結帯は、当該連結帯の長さ方向と直交する断面形状における上部に、中央部から水平方向外側に向かうにしたがって低くなっていくような形状が形成されたことを特徴とする支持台連結ユニット。
【請求項２】
前記連結帯は上側にケーブル用溝部を有することを特徴とする請求項１に記載の支持台連結ユニット。
【発明の詳細な説明】
【技術分野】
【０００１】
本発明は、フリーアクセスフロアに用いられるパネル部材を支持する複数の支持台を連結した支持台連結ユニットに関するものである。
【背景技術】
【０００２】
図１１は、部屋の床部に敷設された従来のフリーアクセスフロア２を示す平面図である。この従来のフリーアクセスフロア２の敷設作業の途中段階においては、図１２に示すように、複数の支持台連結ユニット４を、互いに間隔を空けて下地床面６上に配置する作業が行なわれる。
【０００３】
従来の支持台連結ユニット４は、フリーアクセスフロア２の床板となる４枚のパネル部材８が載置可能な、図１３に示すような、水平面における互いに直交する二方向に３行３列に並んで配置された９つの支持台１２と、これらの支持台１２の下端部間を連結する支持台連結帯２２（以下、「連結帯２２」という。）とを備えて構成されている（特許文献１参照）。
【特許文献１】特許第２７７８５３８号公報
【０００４】
図１４に示すように、支持台１２のそれぞれは、高さ中央部のパイプ部材１６、このパイプ部材１６の上端部に設けられるキャップ１８、及びパイプ部材１６の下端部を支持する受け台２０を備えて構成されている。支持台１２の各受け台２０には、嵌合部２４が形成されており、各嵌合部２４にはパイプ部材１６の下端部が嵌合している。また、連結帯２２は、図１３に示す水平面における前記二方向に互いに隣合う受け台２０同士を連結するように工場等において予め形成される。
【０００５】
受け台２０同士の水平面における互いに直交する二方向におけるピッチ間隔は、図１１，１２に示すパネル部材８の上記二方向におけるピッチ間隔と同じ長さになるように、図１３に示す連結帯２２の長さが設定されている。
したがって、支持台１２のピッチ間隔も、図１２に示すように、パネル部材８のピッチ間隔と同じ長さに保持されるようになっている。
【０００６】
図１５は、図１３，１４における支持台１２のキャップ１８を示す平面図である。同図に示すように、キャップ１８は、その上端面１８ａ上に開口するよう形成されて、後述するパネル部材８の折曲った側板部３０と係合可能な４本の溝部２６を有している。
【０００７】
このキャップ１８の４本の溝部２６は、これら４本の中の２本が、上端面１８ａ上の一方向に伸びるよう互いに平行に一定間隔で並んで配置され、この２本と直角に交差する他方向に、他の２本が互いに平行に一定間隔で並んで配置されている。これら４本の溝部２６は、互いに平行に並んで配置される２本の組合せ同士が、互いの長さ方向の中央部において交差している。
【０００８】
また、図１６は、図１１，１２におけるパネル部材８を示す平面図である。パネル部材８は、同図に示すように、略正方形の平面形状を有する天板部２８と、この天板部２８の四辺のそれぞれに、下地床面６側（図１６中、紙面に垂直方向の奥側）に一定高さを有するよう折曲げて形成される側板部３０とを有している。
【０００９】
このようなパネル部材８を、図１３に示す３行３列に並んで配置された９つの支持台１２の上に、４枚水平に２行２列に並べて載置することにより、図１２に示すようなパネルユニット３１を組立てることができる。
【００１０】
このようなパネルユニット３１の各パネル部材８は、図１６に示す天板部２８の各隅部が、図１３に示す９つの支持台１２のうちの対応する各支持台１２のキャップ１８上に載置されると共に、図１６に示す各側板部３０の両端部のそれぞれが、対応するキャップ１８の図１５に示す上端面１８ａの面積の各４分の１内の、互いに直交する各２本の溝部２６に嵌合するようになっている。
【００１１】
図１２に示すように、パネルユニット３１同士の、互いに隣り合い、互いに対向して配置される支持台１２同士の中心部間が、パネル部材８のピッチ間隔とほぼ同じ長さだけ互いに離れて、パネルユニット３１は下地床面６上に配置されている。
【００１２】
そして、図１２に示すように、組立て後のパネルユニット３１における、パネル部材８の外形よりも外側にはみ出した、パネル部材８が配置されていないキャップ１８の上端面１８ａ上の領域には、互いに隣り合うパネルユニット３１同士の、キャップ１８の上端面１８ａの略中心部同士の間に渡すように、別の同じパネル部材８が後からその上端面１８ａ上の領域に載置される。
【００１３】
このことにより、図１２中のパネル部材８が配置されていない領域にもパネル部材８が配置されて、図１１に示すように、パネル部材８が配置されていない領域の無いフリーアクセスフロア２が完成するようになっている。このようなフリーアクセスフロア２のパネル部材８と、下地床面６との間の空間には、図１１，１７に示すように各種のケーブル３２（電線等）を通すことができるようになっている。
【発明の開示】
【発明が解決しようとする課題】
【００１４】
しかしながら、上述したような従来の支持台連結ユニット４においては、図１１，１７に示すように、パネル部材８の下にケーブル３２を配線する場合には、一般的に、フリーアクセスフロアが施工された後に、配線が必要な場所のパネル部材８を取り外して配線するようになっている。
【００１５】
その際には、そのケーブル３２は連結帯２２の上側をその長さ方向と交差するように通るので、配線作業時等において作業者がケーブル３２を手繰り寄せ動作することにより、ケーブル３２がその長さ方向に引き摺られるように移動すると、図１７に示すように、連結帯２２におけるその長さ方向に直角の断面形状の上辺両端の角部が、ケーブル３２の導線部外周の被覆部等に引っ掛かる。
【００１６】
したがって、ケーブル３２がその長さ方向（連結帯２２の長さ方向と交差する方向）に引き摺られたとき、連結帯２２の上記断面形状の角部に引っ掛かってケーブル３２がその長さ方向に円滑に移動するのを妨げられるような作用を受ける。
【００１７】
このため、パネル部材８の下の配線作業時等において、連結帯２２の断面形状における幅方向の上辺両端の角部に引掛かってケーブル３２の導線部外周の被覆部等が損傷を受けたり、ケーブル３２がその長さ方向に無用の引張荷重を受けて断線したりするおそれがあるという問題があった。
【００１８】
そこで本発明は、上記問題点に鑑みて、フリーアクセスフロアの床下を通るケーブルが連結帯断面の角部に引掛かって損傷したり断線したりするのを防止することができる支持台連結ユニットを提供することを課題とするものである。
【課題を解決するための手段】
【００１９】
上記課題を解決するために本発明は、
フリーアクセスフロアに用いられるパネル部材を支持する複数の支持台と、当該支持台の下端部間を連結して支持台間の間隔を保持する連結帯とを備えた支持台連結ユニットであって、
前記連結帯は、当該連結帯の長さ方向と直交する断面形状における上部に、中央部から水平方向外側に向かうにしたがって低くなっていくような形状が形成されたことを特徴とするものである。
【００２０】
また、本発明において、前記連結帯は上側にケーブル用溝部を有することを特徴とするものである。
【発明の効果】
【００２１】
このような本発明の支持台連結ユニットによれば、
フリーアクセスフロアに用いられるパネル部材を支持する複数の支持台と、当該支持台の下端部間を連結して支持台間の間隔を保持する連結帯とを備えた支持台連結ユニットであって、
前記連結帯は、当該連結帯の長さ方向と直交する断面形状における上部に、中央部から水平方向外側に向かうにしたがって低くなっていくような形状が形成されたことにより、
フリーアクセスフロアの床下を通るケーブルが連結帯断面の角部に引掛かって損傷したり断線したりするのを防止することができる。
【００２２】
また、本発明において、前記連結帯は上側にケーブル用溝部を有することにより、
フリーアクセスフロアの床下を通る複数のケーブル同士を、必要に応じて水平方向に互いに離間して配線することができる。
【発明を実施するための最良の形態】
【００２３】
以下、本発明に係る支持台連結ユニットを実施するための最良の形態について、図面に基づいて具体的に説明する。
図１から図５は、本発明の第１の実施の形態に係る支持台連結ユニット４０について説明するために参照する図である。従来と同様の部分には同じ符号を用いて説明し、従来と同様の構成についての重複する説明はできるだけ省略するものとする。
【００２４】
図１，２は、本実施の形態に係る支持台連結ユニット４０を示す平面図及び側面図である。図１に示すように、支持台連結ユニット４０は、水平面において互いに直交する二方向に３行３列に並んで配置された９つの支持台１２を有すると共に、図１３，１４に示す前記従来の支持台連結ユニット４の支持台連結帯２２とは異なる支持台連結帯４２（以下、「連結帯４２」という。）を有している。
【００２５】
支持台連結ユニット４０の各連結帯４２は、この連結帯４２の長さ方向と直交する断面形状における上部に、中央部から水平方向外側に向かうにしたがって低くなっていくような形状が形成されている。すなわち、図３に示すように、連結帯４２の長さ方向と直交する断面形状における上部に、外側に向かって低くなる傾斜部４２ａが形成されている。
図４は、連結帯４２をその側面から見た側面図の一部を示す図である。
【００２６】
このような本実施の形態においては、図１に示すように、ケーブル３２が、支持台連結ユニット４０の連結帯４２長さ方向と交差するように配線された場合でも、図３に示すように、連結帯４２におけるその長さ方向に直角の断面形状の、上辺側の幅方向両端部の傾斜部４２ａのそれぞれが、外側に向かってその高さが低くなっていくように傾斜して形成されているので、図５に示すように、この連結帯４２の上側をその長さ方向と交差して通るケーブル３２は、その長さ方向に引き摺られても、その導線部外周の被覆部等が連結帯４２断面の上辺両端の傾斜部４２ａにガイドされるようになっていて、従来のように連結帯２２断面の角部に引っ掛かることがないようになっている。
【００２７】
このため、本実施の形態に係る支持台連結ユニット４０によれば、フリーアクセスフロアのパネル部材８の下を通るケーブル３２が連結帯４２断面の角部に引掛かって損傷したり断線したりするのを防止することができる。
【００２８】
図６から図１０は、本発明の第２の実施の形態に係る支持台連結ユニット５０について説明するために参照する図である。
図６，７は、本実施の形態に係る支持台連結ユニット５０を示す平面図及び側面図である。同図に示すように、支持台連結ユニット５０は、水平面において互いに直交する二方向に３行３列に並んで配置された９つの支持台１２を有すると共に、前記第１の実施の形態に係る支持台連結ユニット４０の支持台連結帯４２とは異なる支持台連結帯５２（以下、「連結帯５２」という。）を有している。
【００２９】
各連結帯５２は、図８に示すように、後述する溝部５２ｂ，５２ｃ以外の部分が、連結帯５２の長さ方向と直交する断面形状における上部が外側に向かって低くなる傾斜部５２ａを有するように形成されているだけでなく、図６，７，９に示すように、連結帯５２はその上側に２つのケーブル用溝部５２ｂ，５２ｃ（以下、「溝部５２ｂ，５２ｃ」という。）を有するように形成されている。
【００３０】
このため、本実施の形態に係る支持台連結ユニット５０によれば、図１０に示すように、フリーアクセスフロアのパネル部材８の下を通るケーブル３２ａ，３２ｂが、連結帯５２の上側に引掛かって損傷したり断線したりするのを防止することができるだけでなく、図９に示すように、ケーブル３２ａ，３２ｂが溝部５２ｂ，５２ｃ内に収納されることにより、複数のケーブル３２ａ，３２ｂ同士を必要に応じて水平方向に互いに離間して配線することができる。
【００３１】
したがって、同じ場所に複数のケーブルを配線する場合や、配線済みのケーブルがある場所にさらに追加して配線する場合には、複数のケーブル３２ａ，３２ｂ同士が互いに絡み合ったり、一方の配線済みのケーブルに他方のケーブルが接触して、スムーズに他方のケーブルを配線できなかったり、複数のケーブルの一方がケーブルの他方に電気的に悪影響を及ぼしたりするようなことを、防止することができる。
【００３２】
なお、前記第１の実施の形態においては、図３に示すように、連結帯４２の断面形状を、その水平方向における中央部から外側に向かうにしたがって低くなっていくようにするために、水平方向の両端部に傾斜部４２ａを有するように形成して、連結帯４２の断面形状が台形状の六角形状に形成されていたが、連結帯４２の断面形状の両端部に傾斜部４２ａを有するように形成する代わりに、連結帯の断面形状が、その底面の上側に、上方に膨らむような凸状円弧形状が形成されるようにしてもよい。
【００３３】
或は、各頂点を滑らかに結ぶと上記上方に膨らむような凸状円弧形状となるような、複数の傾斜部を角度を少しずつ変えて連続して形成した凸状多角形状に形成されるようにしてもよい。
【００３４】
また、前記第２の実施の形態においては、図９に示すように、連結帯５２の上側に２つのケーブル用溝部５２ｂ，５２ｃを有していたが、これらのケーブル用溝部の数は２つに限定する必要は無く、１つ、又は３つ以上の溝部を形成するようにしてもよい。
【図面の簡単な説明】
【００３５】
【図１】本発明の第１の実施の形態に係る支持台連結ユニット４０を示す平面図である。
【図２】図１に示す支持台連結ユニット４０のＡ−Ａ線矢視断面図である。
【図３】図１に示す支持台連結ユニット４０の連結帯４２の断面図である。
【図４】図１に示す支持台連結ユニット４０の連結帯４２の側面図である。
【図５】図１に示す支持台連結ユニット４０の連結帯４２の長さ方向と交差するケーブル３２がパネル部材８と下地床面６との間に配線された状態を示す側面断面図である。
【図６】本発明の第２の実施の形態に係る支持台連結ユニット５０を示す平面図である。
【図７】図６に示す支持台連結ユニット５０を示す側面図である。
【図８】図６に示す支持台連結ユニット５０の連結帯５２の５２ｂ又は５２ｃを通る断面図である。
【図９】図８に示す連結帯５２の側面図である。
【図１０】図６に示す支持台連結ユニット５０の連結帯５２の長さ方向と交差するケーブル３２がパネル部材８と下地床面６との間に配線された状態を示す側面断面図である。
【図１１】従来のフリーアクセスフロア２を示す図であって、このフリーアクセスフロア２を敷設した部屋内の領域を示す平面図である。
【図１２】図１１に示す従来のフリーアクセスフロア２の敷設作業の途中段階を示す平面図である。
【図１３】図１２中の支持台連結ユニット４だけを取り出して示すその平面図である。
【図１４】図１３における支持台連結ユニット４のＢ−Ｂ線矢視一部断面図である。
【図１５】図１３中のキャップ１８だけを取り出して示すその平面図である。
【図１６】図１２中のパネル部材８だけを取り出して示すその平面図である。
【図１７】図１１中の従来のフリーアクセスフロア２のパネル部材８の下側を通るケーブル３２を示すＡ−Ａ線矢視一部断面図である。
【符号の説明】
【００３６】
２  フリーアクセスフロア
３  壁
４  支持台連結ユニット
６  下地床面
８  パネル部材
１２  支持台
１６  パイプ部材
１８  キャップ
１８ａ  上端面
２０  受け台
２２  支持台連結帯
２４  凹部
２６  溝部
２８  天板部
３０  側板部
３１  パネルユニット
３２，３２ａ，３２ｂ  ケーブル
４０  支持台連結ユニット
４２  支持台連結帯
４２ａ  傾斜部
５０  支持台連結ユニット
５２  支持台連結帯
５２ａ  傾斜部
５２ｂ，５２ｃ  ケーブル用溝部
【図１】
2009019473.tif 000003
【図２】
2009019473.tif 000004
【図３】
2009019473.tif 000005
【図４】
2009019473.tif 000006
【図５】
2009019473.tif 000007
【図６】
2009019473.tif 000008
【図７】
2009019473.tif 000009
【図８】
2009019473.tif 000010
【図９】
2009019473.tif 000011
【図１０】
2009019473.tif 000012
【図１１】
2009019473.tif 000013
【図１２】
2009019473.tif 000014
【図１３】
2009019473.tif 000015
【図１４】
2009019473.tif 000016
【図１５】
2009019473.tif 000017
【図１６】
2009019473.tif 000018
【図１７】
2009019473.tif 000019